(57)【要約】【課題】複数のアジャスタボルトを用いて機器等の設置を行う場合、アジャスタボルトを機器の据え付け時には一体型とし、取り替え時には分離型とすることで、機器の設置及び破損したアジャスタボルトの取り替え作業を機器等を取り外すことなく簡易に行えるようにしたアジャスタボルトを提供すること。【解決手段】据付機器の支持に用いてレベル調整を容易に行うように台座部１とボルト部２が分離されたアジャスタボルトＡであって、台座部１の上面に突設するボルト部２を、固定プレート３を介して着脱可能に構成する。【選択図】図１
2009270708.tif 000002
【特許請求の範囲】
【請求項１】
据付機器の支持に用いてレベル調整を容易に行うように台座部とボルト部が分離されたアジャスタボルトであって、台座部の上面に突設するボルト部を、固定プレートを介して着脱可能に構成したことを特徴とするアジャスタボルト。
【請求項２】
台座部の頂面にボルト部下端部を嵌合するようにした窪みと係止突起とを形成し、ボルト部下部に形成した係止凹溝と前記係止突起に嵌挿するようにして固定プレートを取り付け、台座部とボルト部とを組立、解体できるように構成したことを特徴とする請求項１記載のアジャスタボルト。
【請求項３】
係止突起を、鍔付突起としたことを特徴とする請求項１又は２記載のアジャスタボルト。
【請求項４】
係止突起を、ビスとしたことを特徴とする請求項１又は２記載のアジャスタボルト。
【請求項５】
据付機器の支持に用いてレベル調整を容易に行うように台座部とボルト部が分離されたアジャスタボルトであって、台座部の上面に突設するボルト部を係止ピンを介して着脱可能に構成したことを特徴とするアジャスタボルト。
【請求項６】
係止ピンを、台座部の上面に突設した係止突起に形成したピン挿通孔と、ボルト部の下端部に形成したピン挿通孔間に挿通するように構成したことを特徴とする請求項５記載のアジャスタボルト。
【請求項７】
据付機器の支持に用いてレベル調整を容易に行うように台座部とボルト部が分離されたアジャスタボルトであって、台座部の上面に突設するボルト部を台座部に磁着により着脱可能に構成したことを特徴とするアジャスタボルト。
【請求項８】
据付機器の支持に用いてレベル調整を容易に行うように台座部とボルト部が分離されたアジャスタボルトであって、台座部及びボルト部の対向面をそれぞれ半球形の凹部とし、該対向凹部間に鋼球を介してボルト部下部での水平変位を許容可能とするようにして構成したことを特徴とするアジャスタボルト。
【請求項９】
台座部及びボルト部の対向面に形成する半球形の凹部径を、鋼球径より大となるよう構成したことを特徴とする請求項８記載のアジャスタボルト。
【請求項１０】
台座部及びボルト部の対向面に形成する半球形の凹部間に鋼球を介して台座部及びボルト部を接続する場合、台座部及びボルト部間を、固定プレート、係止ピン、磁着機構のいずれかによって連結可能に構成したことを特徴とする請求項１、２、３、４、５、６、７、８又は９記載のアジャスタボルト。
【発明の詳細な説明】
【技術分野】
【０００１】
本発明は、アジャスタボルトに関し、特に、複数のアジャスタボルトを用いて機器等の設置を行う場合、機器の設置時は勿論のこと、レールの変形等にて発生する曲げ応力にて破損などを起こしたアジャスタボルトの取り替え作業を機器等を取り外すことなく簡易に行えるようにし、さらにはアジャスタボルト下部に発生する曲げ応力を低減するようにしたアジャスタボルトに関するものである。
【背景技術】
【０００２】
従来、複数のアジャスタボルトを用いて所定の床面上に機器、特に限定されるものではないが、例えば、図５に示すように、搬送設備の走行用レールＲを設置する場合、走行用レールＲを支持する枕木Ｍの下部をアジャスタボルトＡを用いて床面Ｆに対して平行するよう、また所定高さになるよう設置するようにしている。
このアジャスタボルトＡが、床面に設置する台座部とボルト部とが一体に形成されている場合、ボルト部に螺合された取り付けナットの回動にて走行用レールの枕木をその高さ調整を行いつつ固定するので、走行用レールの設置は簡易に行うことができる。
【０００３】
しかし、複数のアジャスタボルトにて走行用レールを固定的に支持している構成では、レールの変形等にて発生する曲げ応力等の変動荷重が、アジャスタボルトに直接掛かるようになって、１つ或いは複数のアジャスタボルトが破損した場合、この一体型の破損したアジャスタボルトを正規のアジャスタボルトと取り替える必要がある。
このような場合、一体型アジャスタボルトの破損時には、破損したアジャスタボルトが取り付けられている走行用レールごとジャッキ等にて持ち上げた後、破損したアジャスタボルトを取り外して新しいものと交換するため、この破損したアジャスタボルトの交換に多大の時間と労力を要するという問題があった。
【０００４】
また、この一体型アジャスタボルトの問題点を解決するため、台座部とボルト部とが分離可能な形態となっているものが提案されているが、これは台座部の中央部にボルト部の下端を嵌合するように構成し、かつ該ボルト部を回動することでその取付位置の高さを調整するようにしている。
このため、台座部とボルト部とが分離可能なアジャスタボルトを用いた走行用レール等の設置には、複数のアジャスタボルトを予め設置場所に台座部を並べた後、それに嵌合させるようにしてボルト部を据え付けるため、多くのボルト部を同時に各台座部と組み合うようにして据え付ける必要があり、その作業には熟練を要し作業性に問題があるとともに、交換時においても複雑な作業を必要とするという問題があった。
【０００５】
また、従来のアジャスタボルトは、靜荷重下での使用を想定して設計し、変動荷重下での使用を設定していないため、該変動荷重下特有の現象に対して強度上の問題があった。
【発明の開示】
【発明が解決しようとする課題】
【０００６】
本発明は、アジャスタボルトの有する問題点に鑑み、複数のアジャスタボルトを用いて機器等の設置を行う場合、アジャスタボルトを機器の据え付け時には一体型とし、取り替え時には分離型とすることで、機器の設置及び破損したアジャスタボルトの取り替え作業を機器等を取り外すことなく簡易に行えるようにし、さらにはアジャスタボルトの破損原因ともなる曲げ応力の発生を低減させて変動荷重下でも長寿化を図るようにようにしたアジャスタボルトを提供することを目的とする。
【課題を解決するための手段】
【０００７】
上記目的を達成するため、本発明のアジャスタボルトは、据付機器の支持に用いてレベル調整を容易に行うように台座部とボルト部が分離されたアジャスタボルトであって、台座部の上面に突設するボルト部を、固定プレートを介して着脱可能に構成したことを特徴とする。
【０００８】
この場合において、台座部の頂面にボルト部下端部を嵌合するようにした窪みと係止突起とを形成し、ボルト部下部に形成した係止凹溝と前記係止突起に嵌挿するようにして固定プレートを取り付け、台座部とボルト部とを組立、解体できるように構成することができる。
【０００９】
また、係止突起を、鍔付突起とすることができる。
【００１０】
また、係止突起を、ビスとすることができる。
【００１１】
また、上記目的を達成するため、本発明のアジャスタボルトは、据付機器の支持に用いてレベル調整を容易に行うように台座部とボルト部が分離されたアジャスタボルトであって、台座部の上面に突設するボルト部を係止ピンを介して着脱可能に構成したことを特徴とする。
【００１２】
この場合、係止ピンを、台座部の上面に突設した係止突起に形成したピン挿通孔と、ボルト部の下端部に形成したピン挿通孔間に挿通するように構成することができる。
【００１３】
また、上記目的を達成するため、本発明のアジャスタボルトは、据付機器の支持に用いてレベル調整を容易に行うように台座部とボルト部が分離されたアジャスタボルトであって、台座部の上面に突設するボルト部を台座部に磁着により着脱可能に構成したことを特徴とする。
【００１４】
また、上記目的を達成するため、本発明のアジャスタボルトは、据付機器の支持に用いてレベル調整を容易に行うように台座部とボルト部が分離されたアジャスタボルトであって、台座部及びボルト部の対向面をそれぞれ半球形の凹部とし、該対向凹部間に鋼球を介してボルト部下部での水平変位を許容可能とするようにして構成したことを特徴とする。
【００１５】
また、この場合、台座部及びボルト部の対向面に形成する半球形の凹部径を、鋼球径より大となるよう構成することができる。
【００１６】
また、台座部及びボルト部の対向面に形成する半球形の凹部間に鋼球を介して台座部及びボルト部を接続する場合、台座部及びボルト部間を、固定プレート、係止ピン、磁着機構のいずれかによって連結可能に構成することができる。
【発明の効果】
【００１７】
本発明のアジャスタボルトによれば、据付機器の支持に用いてレベル調整を容易に行うように台座部とボルト部が分離されたアジャスタボルトであって、台座部の上面に突設するボルト部を、固定プレートを介して着脱可能に構成することにより、機器の据付時には台座部とボルト部とを予め固定プレートを介して組み立てておき一体型アジャスタボルトとして機器に取り付けられるので、機器据付の作業性が向上するとともに、アジャスタボルトの交換時には該固定プレートを抜き去ることで、簡易に台座部とボルト部とが分離されるので、据付機器を動かさずにアジャスタボルトの交換がスムースに行え、作業性が向上する。
【００１８】
また、台座部の頂面にボルト部下端部を嵌合するようにした窪みと係止突起とを形成し、ボルト部下部に形成し係止凹溝と前記係止突起に嵌挿するようにして固定プレートを取り付け、台座部とボルト部とを組立、解体できるように構成することにより、固定プレートを台座部とボルト部間の正確な位置に確実に挿入して両部材の固定を迅速に、確固に行うことができる。
【００１９】
また、係止突起を、鍔付突起とすることにより、簡単な構造で台座部とボルト部間に挿入した固定プレートの抜け出しを防止することができる。
【００２０】
また、係止突起を、ビスとすることにより、台座部とボルト部間に挿入した固定プレートをビスの締め付けで確固に固定でき、またビスを弛めるだけで簡易に固定プレートを抜き去ることができる。
【００２１】
また、本発明のアジャスタボルトによれば、据付機器の支持に用いてレベル調整を容易に行うように台座部とボルト部が分離されたアジャスタボルトであって、台座部の上面に突設するボルト部を係止ピンを介して着脱可能に構成することにより、台座部とボルト部との結合が簡単に行えるとともに、その取付位置を規制することができる。
【００２２】
また、係止ピンを、台座部の上面に突設した係止突起に形成したピン挿通孔と、ボルト部の下端部に形成したピン挿通孔間に挿通するように構成することにより、係止ピンの取り付け、取り外しが簡易に行え、台座部、ボルト部の組立、分離作業が迅速に行うことができる。
【００２３】
また、本発明のアジャスタボルトによれば、据付機器の支持に用いてレベル調整を容易に行うように台座部とボルト部が分離されたアジャスタボルトであって、台座部の上面に突設するボルト部を台座部に磁着により着脱可能に構成することにより、台座部とボルト部との結合が簡単に行えるとともに、その取付位置を規制することができる。
【００２４】
また、本発明のアジャスタボルトによれば、据付機器の支持に用いてレベル調整を容易に行うように台座部とボルト部が分離されたアジャスタボルトであって、台座部及びボルト部の対向面をそれぞれ半球形の凹部とし、該対向凹部間に鋼球を介してボルト部下部での水平変位を許容可能とするようにして構成することにより、台座部とボルト部との結合部における負荷荷重が変動しても鋼球がボルト下部でコロの如く水平方向の変位を可能とし、ボルト下部での回転が自由となり、ボルト部に生じる曲げ応力を低減させることができるので、変動荷重下等支持対象の変形によるボルト部に曲げ応力が生じてもアジャスタボルトの破損を防止することができる。
【００２５】
また、台座部及びボルト部の対向面に形成する半球形の凹部径を、鋼球径より大となるよう構成することにより、ボルト部に生じる曲げ応力を鋼球径より大なる半球形の凹部内で鋼球が自由に回転或いは移動して、台座部上でのボルト部を回転或いは水平移動を円滑に行えるのでアジャスタボルトの破損を防止することができる。
【００２６】
また、台座部及びボルト部の対向面に形成する半球形の凹部間に鋼球を介して台座部及びボルト部を接続する場合、台座部及びボルト部間を、固定プレート、係止ピン、磁着機構のいずれかによって連結可能に構成することにより、機器の据付時には、一体型として取り付けられるので、作業性が向上するとともに、アジャスタボルトの交換時には、簡易に台座部とボルト部とが分離されるので、据え付けた機器を持ち上げることなく円滑にアジャスタボルトの交換を行うことができ、作業性が向上する。
【発明を実施するための最良の形態】
【００２７】
以下、本発明のアジャスタボルトの実施の形態を、図面に基づいて説明する。
【実施例１】
【００２８】
図１〜図２に、本発明のアジャスタボルトの第１実施例を示す。
このアジャスタボルトＡは、台座部１とボルト部２及び該台座部１とボルト部２とを分離可能に固定する固定プレート３とより構成する。
台座部１は、工場等の床面、特に限定されるものではないが、例えば、グレーチィング床面上に安定して設置できるような形状に形成する。
この台座部１の形状は特に限定されるものではないが、例えば、図１に示すように、頂面部と底面部が平坦な円錐形とし、かつ頂面平坦面部には、ボルト部２の下端を嵌合するための窪み１１を中央部に形成し、かつ該窪み１１の外側対向位置に２つの係止突起１２、１２を突設形成する。
この窪み１１は、ボルト部２の下端の半円球形をした係止部２１を嵌合してボルト部２にかかる荷重を支持するようにして係止するためのもので、その形状は特に限定されるものではないが、例えば、係止部２１と同じ半円球形状とし、また係止突起１２は、上部側に鍔を有する形状（鍔付突起）のものを植設するか或いは図３に示すようにビスを用いる。
【００２９】
また、ボルト部２は、図２に示すように、下端部で半円球形をした係止部２１とねじを刻設した本体部２２との間の接続部分に係止凹溝２３を形成して構成する。
なお、このボルト部２の上端には、必要に応じて、該ボルト部２の回動を容易に行えるようスパナなどの工具を掛けるスパナ掛け部２５を形成するようにする。
【００３０】
固定プレート３は、図２〜図３に示すように、平板状でその一端縁側が開口したＵ字形に形成した３つの溝３１、３２、３２を形成する。
この中央部の溝３１は、ボルト部２に形成した係止凹溝２３を挿入できるように、また、両端の２つの溝３２、３２は、係止突起１２、１２を挿入できるように、それぞれ形成する。
【００３１】
次に、本発明のアジャスタボルトを、図５に示すように、走行用レールの設置において使用する場合について説明する。
予め床面Ｆ上に設置するようにした走行用レールＲは、図５に示すように、平行配置する走行用レールの下面間を、所定間隔で枕木Ｍ、Ｍを掛け渡すように配設し、該枕木Ｍと走行用レールＲとをボルト、いぬ釘などの固定具（図示省略）にて固定するとともに、該枕木Ｍを本発明のアジャスタボルトＡを用いて所定高さに調整して敷設する。
この走行用レールＲを、枕木Ｍを介して支持するアジャスタボルトＡは、予め台座部１とボルト部２とを組み立て、一体型としておく。
【００３２】
この組立は、台座部１の窪み１１にボルト部２の半円球形をした係止部２１を嵌合し、かつこの台座部１の頂面に当接するようにして台座部１の側面より固定プレート３を挿入する。
この場合、中央部の溝３１を係止凹溝２３に、両端の２つの溝３２、３２を係止突起１２、１２に挿入するようにする。
これにより、台座部１とボルト部２とは、固定プレート３を介して組み立てられる。
なお、係止突起１２、１２にビスを用いる場合には、ビスを締め付けることでその係止固定はより確固に行える。
【００３３】
このように台座部１とボルト部２とを組み立て、一体とした後、例えば、走行用レールＲの敷設方向に沿って該アジャスタボルトＡの複数個を予め配設し、走行用レールＲの枕木Ｍを所定高さに固定するようにして走行用レールＲを据え付ける。
【００３４】
据付後は、必要に応じて、台座部１とボルト部２とを固定していた固定プレート３を、台座部１とボルト部２との間から引き抜くことで、台座部１とボルト部２との結合を解除しておくことができる。
【００３５】
なお、破損したアジャスタボルトＡの交換をするには、破損したアジャスタボルトＡが取り付けられている走行用レール部を持ち上げることなく、台座部１、ボルト部２間より固定プレート３を引き抜くことで、ボルト部２を台座部１より引き離すことができるので、走行用レールＲから破損したアジャスタボルトＡのみを簡易に取り外すことができる。
【００３６】
また、新しいアジャスタボルトＡを取り付ける場合は、取り外した破損したアジャスタボルトＡ位置に、分離した新しいアジャスタボルトＡの台座部１を設置した後、ボルト部２の係止部２１を該台座部１の窪み１１に嵌合し、必要に応じて、台座部１の側面より固定プレート３を、その溝３１を係止凹溝２３に、両端の２つの溝３２、３２をそれぞれ係止突起１２、１２に挿入して一体とし、台座部１、ボルト部２間を結合した後、走行レールの高さを調整するようにする。
【実施例２】
【００３７】
図４に、本発明のアジャスタボルトの第２実施例を示す。
このアジャスタボルトＡは、上記第１実施例の固定プレート３の代わりに係止ピン４を、ボルト部２の係止部２１、係止突起１２、１２間に挿通して固定するようにしたものである。
【００３８】
ボルト部２の下端部に半円球形をした係止部２１を形成し、かつ該係止部２１に横方向に貫通するようにしてピン挿通孔２４を形成するとともに、このボルト部２の外側に対向して台座部１に係止突起１２、１２を突設し、該係止突起１２、１２にも前記ピン挿通孔２４と対向するようにしてピン挿通孔１４、１４を形成し、台座部１の窪み１１にボルト部２の係止部２１を嵌合する。
このとき、係止部２１、係止突起１２、１２のピン挿通孔２４、１４、１４を同一軸線上となるようにし、これらのピン挿通孔に１本の係止ピン４、これは特に限定されるものではないが、例えば、割ピンを挿通して一体とする。
【００３９】
台座部１とボルト部２の組立、離間は、係止ピン４の抜き差しにて容易に行うことができる。
なお、本実施例のその他の構成及び作用は、上記第１実施例と同様である。
【実施例３】
【００４０】
図６に、本発明のアジャスタボルトの第３実施例を示す。
このアジャスタボルトＡは、上記第１実施例の固定プレート３の代わりに、台座部１の上面に突設するボルト部２を台座部１に磁着により着脱可能に構成するようにしたものである。
【００４１】
ボルト部２を台座部１に磁着するために、図５（ａ）に示すように、台座部１及びボルト部２を磁石（又は一方を磁石、他方を磁性体）で構成するようにしたり、図５（ｂ）に示すように、台座部１（又はボルト部２）に磁石Ｍｇを組み込むようにする。
【００４２】
台座部１とボルト部２の組立、離間は、磁着の大きさを適宜設定することにより、容易に行うことができる。
なお、本実施例のその他の構成及び作用は、上記第１実施例と同様である。
【実施例４】
【００４３】
図７〜図９に、本発明のアジャスタボルトの第４実施例を示す。
このアジャスタボルトＢは、台座部１とボルト部２及び該台座部１とボルト部２の互いに対向する面に形成した半球形の凹部間に鋼球５を介して台座部１及びボルト部２を突き合わせるようにして構成する。
ボルト部２の底面には半球形をした凹部（窪み）２６を形成し、またボルト部２には第１実施例と同じように半球形をした窪み１１を形成を形成する。この凹部（窪み）２６と窪み１１とは同じ大きさと形状とを有するようにすることが望ましい。
なお、台座部１とボルト部２の基本的な構成は第１実施例と同じのため、その詳細説明は省略する。
【００４４】
この場合、上下に対向して突き合わせる台座部１とボルト部２とを分離可能に固定する方法は、特に限定されるものではないが、例えば、第１実施例に示すように、一端縁側を開口するようにＵ字形に形成した３つの溝３１、３２、３２を有する固定プレート３を、ボルト部２に形成した係止凹溝２３と台座部１側に突設した係止突起１２、１２に挿入して固定するように形成するか、また第２実施例に示すように、ボルト部２に形成する係止部２１と台座部１に形成する係止突起１２、１２間に係止ピン４を挿通して固定するように形成するか、さらには第３実施例に示すように、台座部１（又はボルト部２）に組み込んだ磁石Ｍｇにて相手側を吸着して固定するように形成するものである。
なお、本第４実施例に第１実施例を適用した場合を図９（Ａ）に、本第４実施例に第２実施例を適用した場合を図９（Ｂ）に、本第４実施例に第３実施例を適用した場合を図９（Ｃ）にそれぞれ示す。
【００４５】
このように、対向する台座部１、ボルト部２間に鋼球５を介する場合、図８（Ａ）、（Ｂ）に示すように、台座部１とボルト部２との結合部における負荷荷重が変動しても該鋼球５がボルト下部でコロの如く移動して水平方向の変位を可能とし、ボルト下部での回転が自由となり、ボルト部２に生じる曲げ応力を低減させることができる。
【００４６】
また、この場合、台座部及びボルト部に形成する半球形の凹部径を、鋼球径より大としているのでボルト部に曲げ応力が作用する場合、凹部内で鋼球５が自由に回転或いは移動して、台座部１上でのボルト部２を回転或いは水平移動を円滑に行えるので、変動荷重下等支持対象の変形によるボルト部に曲げが生じてもアジャスタボルトの破損を防止する利点がある。
【００４７】
さらに、台座部１及びボルト部２間を、固定プレート３、係止ピン４、磁着機構のいずれかによって連結可能に構成しているので、機器の据付時には、一体型として取り付けられるので、作業性が向上するとともに、アジャスタボルトが破損等することにより交換する必要が生じたときには、簡易に台座部１とボルト部２とを分離できるので、据え付けた機器を持ち上げることなく円滑にアジャスタボルトの交換を行うことができ、作業性が向上する。
なお、固定プレート３を用いて台座部１、ボルト部２間を接合する場合、台座部１上部に突設する係止突起１２、１２の長さは、鋼球５を台座部１、ボルト部２間に介在しているので、固定プレート３が係止突起１２、１２と係止する位置まで嵩上げするように座６を用いてその長さを設定することができる。
【００４８】
以上、本発明のアジャスタボルトについて、複数の実施例に基づいて説明したが、本発明は上記実施例に記載した構成に限定されるものではなく、その趣旨を逸脱しない範囲において適宜その構成を変更することができるものである。
【産業上の利用可能性】
【００４９】
本発明のアジャスタボルトは、機器の設置作業及びこれを支持するアジャスタボルトの破損時の取り替え作業を機器等を取り外すことなく簡易に行え、かつ変動荷重下でアジャスタボルトに曲げ応力が生じる状況に対しても対応するという特性を有していることから、例えば、長尺な走行用レール据付の用途に好適に用いることができるほか、例えば、機器設置位置が不安定な船舶上での機器設置の用途にも用いることができる。
【図面の簡単な説明】
【００５０】
【図１】本発明のアジャスタボルトの第１実施例を示す外観斜視図である。
【図２】分解時の外観斜視説明図である。
【図３】平面図である。
【図４】本発明のアジャスタボルトの第２実施例を示す外観斜視図である。
【図５】本発明のアジャスタボルトを走行用レールの支持に適用した説明図で、（Ａ）は平面図、（Ｂ）は正面図、（Ｃ）は側面図である。
【図６】本発明のアジャスタボルトの第３実施例を示す外観斜視図で、（Ａ）は台座部及びボルト部を磁石で構成するようにした実施例を、（Ｂ）は台座部に磁石を組み込むようにした実施例である。
【図７】本発明のアジャスタボルトの第４実施例を示す外観斜視図である。
【図８】本発明の第４実施例の作用を示す説明図である。
【図９】本発明の第４実施例に、第１〜３実施例を適用した場合を示す外観斜視図で、（Ａ）は台座部及びボルト部間を固定プレートにて係止した状態を、（Ｂ）は台座部及びボルト部間に挿通する係止ピンにて係止した状態を、（Ｃ）は台座部及びボルト部間を着磁にて係止した状態をそれぞれ示す。
【符号の説明】
【００５１】
Ａ    アジャスタボルト
Ｂ    アジャスタボルト
Ｆ    床面
Ｍｇ  磁石
１    台座部
１１  窪み
１２  係止突起
１４  ピン挿通孔
２    ボルト部
２１  係止部
２２  本体部
２３  係止凹溝
２４  ピン挿通孔
２５  スパナ掛け部
２６  凹部
３    固定プレート
３１  中央部の溝
３２  両端の溝
４    係止ピン
５    鋼球
６    座
【図１】
2009270708.tif 000003
【図２】
2009270708.tif 000004
【図３】
2009270708.tif 000005
【図４】
2009270708.tif 000006
【図５】
2009270708.tif 000007
【図６】
2009270708.tif 000008
【図７】
2009270708.tif 000009
【図８】
2009270708.tif 000010
【図９】
2009270708.tif 000011